【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
無線トランシーバユニットの内部においてＢｌｕｅｔｏｏｔｈモジュールと無線ローカル・エリア・ネットワーク（ＷＬＡＮ）モジュールとの間の使用を調停する方法であって、
前記Ｂｌｕｅｔｏｏｔｈモジュールに連結され、かつ、前記ＷＬＡＮモジュールに連結されている状態レベル・アービタを前記無線トランシーバの内部に設けることと、
前記Ｂｌｕｅｔｏｏｔｈモジュールに連結され、かつ、前記ＷＬＡＮモジュールに連結されているパケット・レベル・アービタを前記無線トランシーバの内部に設けることと、
前記Ｂｌｕｅｔｏｏｔｈモジュール及び前記ＷＬＡＮモジュールの状態パラメータと関連パラメータとを前記状態レベル・アービタの内部で決定することと、
パケット毎に前記Ｂｌｕｅｔｏｏｔｈモジュールと前記ＷＬＡＮモジュールとの間で調停を行う前記パケット・レベル・アービタの構成を前記状態レベル・アービタの内部で決定することと、
前記Ｂｌｕｅｔｏｏｔｈモジュール及び前記ＷＬＡＮモジュールの状態パラメータと関連パラメータとに基づいて、前記Ｂｌｕｅｔｏｏｔｈモジュールの無線アクティビティと、前記ＷＬＡＮモジュールの無線アクティビティとのうち一方の優先度を決定することと、
を備える方法。
【請求項２】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈスニフとＢｌｕｅｔｏｏｔｈ  ＳＣＯとＢｌｕｅｔｏｏｔｈページングとのうちの少なくとも１つを受けることと、
前記状態レベル・アービタにおいて、前記ＷＬＡＮモジュールがアクティブであると判定することと、
前記Ｂｌｕｅｔｏｏｔｈモジュールの無線アクティビティに優先権を与えることと、
を更に備える、請求項１に記載の方法。
【請求項３】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ  ＡＣＬを受けることと、
前記状態レベル・アービタにおいて、前記ＷＬＡＮモジュールがアクティブであると判定することと、
前記ＷＬＡＮモジュールの無線アクティビティに優先権を与えることと、
前記Ｂｌｕｅｔｏｏｔｈのアクティビティに高優先度が指定されているときのみ前記Ｂｌｕｅｔｏｏｔｈモジュールの無線アクティビティに優先権を与えることと、
を備える、請求項１に記載の方法。
【請求項４】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとＢＴスニフとのうちの少なくとも１つを受けることと、
前記状態レベル・アービタにおいて、前記ＷＬＡＮモジュールがＷＬＡＮスキャンモードであると判定することと、
前記Ｂｌｕｅｔｏｏｔｈモジュールの無線アクティビティに優先権を与えることと、
を備える、請求項１に記載の方法。
【請求項５】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ  ＳＣＯとＢｌｕｅｔｏｏｔｈ  ＡＣＬとＢｌｕｅｔｏｏｔｈ  ＡＣＯ＋ＡＣＬとのうちの少なくとも１つを受けることと、
前記状態レベル・アービタにおいて、前記ＷＬＡＮモジュールがＷＬＡＮスキャンモードであると判定することと、
前記ＷＬＡＮモジュールの無線アクティビティに優先権を与えることと、
を備える、請求項１に記載の方法。
【請求項６】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとのうち１つを受けることと、
前記状態レベル・アービタにおいて、前記ＷＬＡＮモジュールがＷＬＡＮ接続設定モードであると判定することと、
前記Ｂｌｕｅｔｏｏｔｈモジュールの無線アクティビティに優先権を与えることと、
を備える、請求項１に記載の方法。
【請求項７】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈページ／問い合わせスキャンとＢｌｕｅｔｏｏｔｈスニフとＢｌｕｅｔｏｏｔｈ  ＳＣＯとＢｌｕｅｔｏｏｔｈ  ＡＣＬとＢｌｕｅｔｏｏｔｈ  ＳＣＯ＋ＡＣＬとのうちの少なくとも１つを受けることと、
前記状態レベル・アービタにおいて、前記ＷＬＡＮモジュールがＷＬＡＮ接続設定モードであると判定することと、
前記ＷＬＡＮモジュールの無線アクティビティに優先権を与えることと、
を備える、請求項１に記載の方法。
【請求項８】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとＢｌｕｅｔｏｏｔｈスニフとのうちの少なくとも１つを受けることと、
前記状態レベル・アービタにおいて、前記ＷＬＡＮモジュールがＷＬＡＮ  ＢＭＰＳモードであると判定することと、
前記Ｂｌｕｅｔｏｏｔｈモジュールの無線アクティビティに優先権を与えることと、
を備える、請求項１に記載の方法。
【請求項９】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ  ＳＣＯ及びＢｌｕｅｔｏｏｔｈ  ＡＣＬと、Ｂｌｕｅｔｏｏｔｈ  ＳＣＯ＋ＡＣＬと、のうちの少なくとも１つを受けることと、
前記状態レベル・アービタにおいて、前記ＷＬＡＮモジュールがＷＬＡＮ  ＢＭＰＳモードであると判定することと、
前記ＷＬＡＮモジュールの無線アクティビティに優先権を与えることと、
を備える、請求項１に記載の方法。
【請求項１０】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとのうちの少なくとも１つを受けることと、
前記状態レベル・アービタにおいて、前記ＷＬＡＮモジュールがＷＬＡＮ  μＡＰＳＤモードであると判定することと、
前記ＷＬＡＮモジュールの無線アクティビティに優先権を与えることと、
を備える、請求項１に記載の方法。
【請求項１１】
前記Ｂｌｕｅｔｏｏｔｈモジュールの無線アクティビティと前記ＷＬＡＮモジュールの無線アクティビティとのうち一方の優先度を決定することは、
前記状態レベル・アービタにおいて、前記Ｂｌｕｅｔｏｏｔｈモジュールから、Ｂｌｕｅｔｏｏｔｈスニフを受けることと、
前記状態レベル・アービタにおいて、前記ＷＬＡＮモジュールがＷＬＡＮ  μＡＰＳＤモードであると判定することと、
前記Ｂｌｕｅｔｏｏｔｈモジュールの無線アクティビティに優先権を与えることと、
を備える、請求項１に記載の方法。
【請求項１２】
無線トランシーバユニットの内部においてＢｌｕｅｔｏｏｔｈモジュールと無線ローカル・エリア・ネットワーク（ＷＬＡＮ）モジュールとの間で使用を調停する装置であって、
前記Ｂｌｕｅｔｏｏｔｈモジュールに連結され、かつ、前記ＷＬＡＮモジュールに連結されている状態レベル・アービタと、
前記Ｂｌｕｅｔｏｏｔｈモジュールに連結され、かつ、前記ＷＬＡＮモジュールに連結されているパケット・レベル・アービタと、
前記Ｂｌｕｅｔｏｏｔｈモジュール及び前記ＷＬＡＮモジュールの状態パラメータと関連パラメータとを前記状態レベル・アービタの内部で決定するプロセッサと、
を備え、
前記プロセッサは、パケット毎に前記Ｂｌｕｅｔｏｏｔｈモジュールと前記ＷＬＡＮモジュールとの間で調停を行う前記パケット・レベル・アービタの構成を前記状態レベル・アービタの内部で決定し、かつ、前記Ｂｌｕｅｔｏｏｔｈモジュール及び前記ＷＬＡＮモジュールの状態パラメータと関連パラメータとに基づいて、前記Ｂｌｕｅｔｏｏｔｈモジュールの無線アクティビティと、前記ＷＬＡＮモジュールの無線アクティビティとのうち一方の優先度を決定し、
前記プロセッサが、前記決定された優先度に基づいて、前記Ｂｌｕｅｔｏｏｔｈモジュール、前記ＷＬＡＮモジュール、及び前記Ｂｌｕｅｔｏｏｔｈモジュールと前記ＷＬＡＮモジュールとの組み合わせの間で通信のための１台以上のモジュールを選択するように構成された、
装置。
【請求項１３】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈスニフとＢｌｕｅｔｏｏｔｈ  ＳＣＯとＢｌｕｅｔｏｏｔｈページングとのうちの少なくとも１つを受け、
前記状態レベル・アービタにおいて、前記ＷＬＡＮモジュールがアクティブであると判定し、
前記Ｂｌｕｅｔｏｏｔｈモジュールの無線アクティビティに優先権を与える、
ように更に構成される、請求項１２に記載の装置。
【請求項１４】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ  ＡＣＬを受け、
前記状態レベル・アービタにおいて、前記ＷＬＡＮモジュールがアクティブであると判定し、
前記ＷＬＡＮモジュールの無線アクティビティに優先権を与え、
前記Ｂｌｕｅｔｏｏｔｈのアクティビティに高優先度が指定されているときのみ前記Ｂｌｕｅｔｏｏｔｈモジュールの無線アクティビティに優先権を与える、
ように更に構成される、請求項１２に記載の装置。
【請求項１５】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとＢＴスニフとのうちの少なくとも１つを受け、
前記状態レベル・アービタにおいて、前記ＷＬＡＮモジュールがＷＬＡＮスキャンモードであると判定し、
前記Ｂｌｕｅｔｏｏｔｈモジュールの無線アクティビティに優先権を与える、
ように更に構成される、請求項１２に記載の装置。
【請求項１６】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ  ＳＣＯとＢｌｕｅｔｏｏｔｈ  ＡＣＬとＢｌｕｅｔｏｏｔｈ  ＡＣＯ＋ＡＣＬとのうちの少なくとも１つを受け、
前記状態レベル・アービタにおいて、前記ＷＬＡＮモジュールがＷＬＡＮスキャンモードであると判定し、
前記ＷＬＡＮモジュールの無線アクティビティに優先権を与える、
ように更に構成される、請求項１２に記載の装置。
【請求項１７】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとのうち１つを受け、
前記状態レベル・アービタにおいて、前記ＷＬＡＮモジュールがＷＬＡＮ接続設定モードであると判定し、
前記Ｂｌｕｅｔｏｏｔｈモジュールの無線アクティビティに優先権を与える、
ように更に構成される、請求項１２に記載の装置。
【請求項１８】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈページ／問い合わせスキャンとＢｌｕｅｔｏｏｔｈスニフとＢｌｕｅｔｏｏｔｈ  ＳＣＯとＢｌｕｅｔｏｏｔｈ  ＡＣＬとＢｌｕｅｔｏｏｔｈ  ＳＣＯ＋ＡＣＬとのうちの少なくとも１つを受け、
前記状態レベル・アービタにおいて、前記ＷＬＡＮモジュールがＷＬＡＮ接続設定モードであると判定し、
前記ＷＬＡＮモジュールの無線アクティビティに優先権を与える、
ように更に構成される、請求項１２に記載の装置。
【請求項１９】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとＢｌｕｅｔｏｏｔｈスニフとのうちの少なくとも１つを受け、
前記状態レベル・アービタにおいて、前記ＷＬＡＮモジュールがＷＬＡＮ  ＢＭＰＳモードであると判定し、
前記Ｂｌｕｅｔｏｏｔｈモジュールの無線アクティビティに優先権を与える、
ように更に構成される、請求項１２に記載の装置。
【請求項２０】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ  ＳＣＯ及びＢｌｕｅｔｏｏｔｈ  ＡＣＬと、Ｂｌｕｅｔｏｏｔｈ  ＳＣＯ＋ＡＣＬと、のうちの少なくとも１つを受け、
前記状態レベル・アービタにおいて、前記ＷＬＡＮモジュールがＷＬＡＮ  ＢＭＰＳモードであると判定し、
前記ＷＬＡＮモジュールの無線アクティビティに優先権を与える、
ように更に構成される、請求項１２に記載の装置。
【請求項２１】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈ問い合わせとＢｌｕｅｔｏｏｔｈページングとＢｌｕｅｔｏｏｔｈページ／問い合わせスキャンとのうちの少なくとも１つを受け、
前記状態レベル・アービタにおいて、前記ＷＬＡＮモジュールがＷＬＡＮ  μＡＰＳＤモードであると判定し、
前記ＷＬＡＮモジュールの無線アクティビティに優先権を与える、
ように更に構成される、請求項１２に記載の装置。
【請求項２２】
前記プロセッサは、前記Ｂｌｕｅｔｏｏｔｈモジュールの無線アクティビティと、前記ＷＬＡＮモジュールの無線アクティビティとのうち一方の優先度を決定したとき、
前記状態レベル・アービタにおいて、前記Ｂｌｕｅｔｏｏｔｈモジュールから、Ｂｌｕｅｔｏｏｔｈスニフを受け、
前記状態レベル・アービタにおいて、前記ＷＬＡＮモジュールがＷＬＡＮ  μＡＰＳＤモードであると判定し、
前記Ｂｌｕｅｔｏｏｔｈモジュールの無線アクティビティに優先権を与える、
ように更に構成される、請求項１２に記載の装置。
【請求項２３】
無線トランシーバユニットの内部においてＢｌｕｅｔｏｏｔｈモジュールと無線ローカル・エリア・ネットワーク（ＷＬＡＮ）モジュールとの間で使用を調停する装置であって、
前記Ｂｌｕｅｔｏｏｔｈモジュールに連結され、かつ、前記ＷＬＡＮモジュールに連結されている状態レベル・アービタを前記無線トランシーバユニットの内部に設ける手段と、
前記Ｂｌｕｅｔｏｏｔｈモジュールに連結され、かつ、前記ＷＬＡＮモジュールに連結されているパケット・レベル・アービタを前記無線トランシーバユニットの内部に設ける手段と、
前記Ｂｌｕｅｔｏｏｔｈモジュール及び前記ＷＬＡＮモジュールの状態パラメータと関連パラメータとを前記状態レベル・アービタの内部で決定する手段と、
パケット毎に前記Ｂｌｕｅｔｏｏｔｈモジュールと前記ＷＬＡＮモジュールとの間で調停を行う前記パケット・レベル・アービタの構成を前記状態レベル・アービタの内部で決定する手段と、
前記Ｂｌｕｅｔｏｏｔｈモジュール及び前記ＷＬＡＮモジュールの状態パラメータと関連パラメータとに基づいて、前記Ｂｌｕｅｔｏｏｔｈモジュールの無線アクティビティと、前記ＷＬＡＮモジュールの無線アクティビティとのうち一方の優先度を決定する手段と、
を備える装置。
【請求項２４】
Ｂｌｕｅｔｏｏｔｈモジュール及び無線ローカル・エリア・ネットワーク（ＷＬＡＮ）モジュールに連結されている状態レベル・アービタと、前記Ｂｌｕｅｔｏｏｔｈモジュール及び前記ＷＬＡＮモジュールに連結されているパケット・レベル・アービタと、を有する無線トランシーバユニットの内部において、前記Ｂｌｕｅｔｏｏｔｈモジュールと前記ＷＬＡＮモジュールとの間の使用を調停するためのコンピュータプログラム製品であって、
コンピュータ読み取り可能な記録媒体を備え、
前記コンピュータ読み取り可能な記録媒体は、
前記Ｂｌｕｅｔｏｏｔｈモジュール及び前記ＷＬＡＮモジュールの状態パラメータと関連パラメータとを前記状態レベル・アービタで決定するためのコードと、
パケット毎に前記Ｂｌｕｅｔｏｏｔｈモジュールと前記ＷＬＡＮモジュールとの間で調停を行う前記パケット・レベル・アービタの構成を前記状態レベル・アービタで決定するためのコードと、
前記Ｂｌｕｅｔｏｏｔｈモジュール及び前記ＷＬＡＮモジュールの状態パラメータと関連パラメータとに基づいて、前記Ｂｌｕｅｔｏｏｔｈモジュールの無線アクティビティと、前記ＷＬＡＮモジュールの無線アクティビティとのうち一方の優先度を決定するためのコードと、
を備える、
コンピュータプログラム製品。